(57)【要約】      （修正有）【課題】電子製品に対するコネクタの装着や取り外しの際に接続部分が損傷してしまう事態を抑制するとともに、充電中にコネクタが脱落せずに電気接続を円滑に行うことができる充電ケーブルを提供する。【解決手段】充電ケーブル１００は、同軸ケーブル１０と、同軸ケーブルの少なくとも一方の端部に設けられ、端部に接続されている基端部２１、及び基端部と接続可能に構成されたコネクタ部２２を有するケーブル側接続端子２０と、を備え、基端部は、コネクタ部との接続部に第１磁石２１ａを有し、コネクタ部は、基端部との接続部に第２磁石２２ａを有するとともに、電子製品の製品側接続端子に脱着可能に構成され、第１磁石と第２磁石とが、所定の吸着力で吸着される。【選択図】図２
0003230057.tif 000002
【実用新案登録請求の範囲】
【請求項１】
同軸ケーブルと、
前記同軸ケーブルの少なくとも一方の端部に設けられたケーブル側接続端子であって、該端部に接続されている基端部、及び該基端部と接続可能に構成されたコネクタ部を有するケーブル側接続端子と、
を備え、
前記基端部は、前記コネクタ部との接続部に第１磁石を有し、
前記コネクタ部は、前記基端部との接続部に第２磁石を有するとともに、電子製品の製品側接続端子に脱着可能に構成され、
前記第１磁石と前記第２磁石とが、所定の吸着力で吸着される、
充電ケーブル。
【請求項２】
前記基端部における前記コネクタ部との接続部を被覆可能なカバー部であって、該接続部を被覆した状態において前記第１磁石の磁気を遮断することができる磁気遮断シートを有するカバー部を、更に備える、
請求項１に記載の充電ケーブル。
【請求項３】
前記基端部には、該基端部の外面から発光するＬＥＤライトが設けられる、
請求項１又は請求項２に記載の充電ケーブル。
【考案の詳細な説明】
【技術分野】
【０００１】
本考案は、各種電子製品に適用可能な充電ケーブルに関する。
【背景技術】
【０００２】
スマートフォンやデジタルカメラ等の各種電子製品を充電するための充電ケーブルとして、ＵＳＢケーブルが用いられることがある。ここで、ＵＳＢケーブルの端部には、電子製品に接続するためのコネクタが設けられており、接続される電子製品に応じて各種規格（ＴｙｐｅＡ、ＴｙｐｅＢ、ＴｙｐｅＣ、ミニＵＳＢ、マイクロＵＳＢ、Ｌｉｇｈｔｎｉｎｇ等）が用いられている。
【０００３】
また、従来から知られているプラグおよびコンセントを用いた電源接続においては、コンセントの端子挿入溝とプラグのプラグ端子とが固く嵌合されてしまうことがあり、これらの接続の解除が困難となる事態が生じ得る。
【０００４】
そして、特許文献１には、電子製品の電気接続装置を磁力によって電気的に連結させる電磁電気接続装置が開示されている。この技術によれば、製品に固定設置されるコンセントボディと、該コンセントボディに選択的に着脱されるプラグボディとが備えられ、これらが電磁電気接続部によって接続される。
【先行技術文献】
【特許文献】
【０００５】
【特許文献１】特表２０１４−５１７９８４号公報
【考案の概要】
【考案が解決しようとする課題】
【０００６】
従来から知られているＵＳＢケーブルを用いて各種電子製品を充電する場合、該電子製品に対するＵＳＢコネクタ（ＴｙｐｅＡ、ＴｙｐｅＢ、ＴｙｐｅＣ、ミニＵＳＢ、マイクロＵＳＢ、Ｌｉｇｈｔｎｉｎｇ等）の装着や取り外しの際に、ユーザが接続部分に不要な力を加えてしまうことにより、該接続部分が損傷してしまう虞がある。
【０００７】
そして、電子製品に対するコネクタの装着や取り外しの際に接続部分が損傷してしまう事態を抑制するとともに、充電中に該コネクタが脱落せずに電気接続が円滑に行われるようにする技術については、未だ改良の余地を残すものである。
【０００８】
本開示の目的は、電子製品に対するコネクタの装着や取り外しの際に接続部分が損傷してしまう事態を抑制するとともに、充電中にコネクタが脱落せずに電気接続を円滑に行うことができる充電ケーブルを提供することにある。
【課題を解決するための手段】
【０００９】
本開示の充電ケーブルは、同軸ケーブルと、前記同軸ケーブルの少なくとも一方の端部に設けられたケーブル側接続端子であって、該端部に接続されている基端部、及び該基端部と接続可能に構成されたコネクタ部を有するケーブル側接続端子と、を備え、前記基端部は、前記コネクタ部との接続部に第１磁石を有し、前記コネクタ部は、前記基端部との接続部に第２磁石を有するとともに、電子製品の製品側接続端子に脱着可能に構成され、前記第１磁石と前記第２磁石とが、所定の吸着力で吸着される。
【００１０】
上記の充電ケーブルによると、ケーブル側接続端子において、基端部とコネクタ部とが磁石の吸着力によって固定可能に構成される。そうすると、ユーザは、コネクタ部を電子製品の製品側接続端子に接続したままで、該コネクタ部と基端部とを脱着することで、電子製品と充電ケーブルとを繋いだり取り外したりすることができる。このとき、ユーザは、嵌合された接続部分を脱着する必要がないため、電子製品に対する接続部分の装着や取り外しの際に該接続部分が損傷してしまう事態が抑制される。また、上述した基端部とコネクタ部との吸着において、基端部側の第１磁石とコネクタ部側の第２磁石とが、所定の吸着力で吸着される。ここで、所定の吸着力とは、電子製品の充電中に振動や接触によりコネクタが脱落せずに電気接続を維持することができる程度の吸着力である。これによれば、充電中にコネクタが脱落せずに電気接続を円滑に行うことができる充電ケーブルを提供することができる。
【００１１】
なお、本開示の充電ケーブルでは、上記の構成において、前記基端部における前記コネクタ部との接続部を被覆可能なカバー部であって、該接続部を被覆した状態において前記第１磁石の磁気を遮断することができる磁気遮断シートを有するカバー部を、更に備えて構成されてもよい。
【００１２】
また、本開示の充電ケーブルでは、上記の構成において、前記基端部には、該基端部の外面から発光するＬＥＤライトが設けられるように構成されてもよい。
【考案の効果】
【００１３】
本開示によれば、電子製品に対するコネクタの装着や取り外しの際に接続部分が損傷してしまう事態を抑制するとともに、充電中にコネクタが脱落せずに電気接続を円滑に行うことができる充電ケーブルを提供することができる。
【図面の簡単な説明】
【００１４】
【図１】本開示の充電ケーブルの概略構成を示す図である。
【図２】電子製品と充電ケーブルとの接続を説明するための図である。
【図３】実施形態における所定の吸着力を説明するための図である。
【図４】カバー部を用いた第１磁石の磁気の遮断を説明するための図である。
【図５】基端部の外面に設けられるＬＥＤライトを例示する図である。
【図６】本開示の充電ケーブルの概略構成を示す第２の図である。
【考案を実施するための形態】
【００１５】
以下、図面に基づいて、本開示の実施の形態を説明する。以下の実施形態の構成は例示であり、本開示は実施形態の構成に限定されない。
【００１６】
本実施形態における充電ケーブルの概要について、図１を参照しながら説明する。図１は、本実施形態における充電ケーブルの概略構成を示す図である。本実施形態に係る充電ケーブル１００は、同軸ケーブル１０と、同軸ケーブル１０の少なくとも一方の端部に設けられたケーブル側接続端子２０と、を備える。
【００１７】
同軸ケーブル１０は、電気通信に使われる周知の被覆電線である。そして、一方の端部には、充電すべき電子製品に接続されるケーブル側接続端子２０が設けられる。また、本実施形態では、他方の端部にＵＳＢコネクタ４０（例えば、ＵＳＢ−ＴｙｐｅＡ）が設けられ、汎用のコンピュータ等に接続可能に構成される。なお、図１では、他方の端部にＵＳＢコネクタ４０が設けられているが、これに限定する意図はなく、他方の端部には、コンセントに挿入されるプラグ端子が設けられてもよい。
【００１８】
ケーブル側接続端子２０は、充電すべき電子製品に接続される端子である。そして、ケーブル側接続端子２０は、同軸ケーブル１０の端部に接続されている基端部２１と、該基端部２１と接続可能に構成されたコネクタ部２２と、を有する。
【００１９】
図２は、電子製品と充電ケーブル１００との接続を説明するための図である。本実施形態では、充電すべき電子製品としてスマートフォンを例にして説明する。ここで、基端部２１は、コネクタ部２２との接続部に第１磁石２１ａを有する。また、コネクタ部２２は、基端部２１との接続部に第２磁石２２ａを有するとともに、電子製品（スマートフォン）の製品側接続端子に脱着可能に構成される。なお、図２には、コネクタ部２２にＭｉｃｒｏＡのマイクロＵＳＢが含まれる例を示しているが、これに限定する意図はなく、コネクタ部２２に他のＵＳＢ規格が含まれていてもよい。
【００２０】
ここで、充電ケーブル１００では、ケーブル側接続端子２０において、基端部２１とコネクタ部２２とが、第１磁石２１ａおよび第２磁石２２ａの吸着力によって固定可能に構成される。そうすると、ユーザは、コネクタ部２２を電子製品（スマートフォン）の製品側接続端子に接続したままで、該コネクタ部２２と基端部２１とを脱着することで、電子製品と充電ケーブルとを繋いだり取り外したりすることができる。このとき、ユーザは、嵌合された接続部分を脱着する必要がないため、電子製品に対する接続部分の装着や取り外しの際に該接続部分が損傷してしまう事態が抑制される。
【００２１】
そして、本願開示の充電ケーブル１００によれば、第１磁石２１ａと第２磁石２２ａとが、所定の吸着力で吸着される。ここで、所定の吸着力とは、電子製品の充電中に振動や接触によりコネクタが脱落せずに電気接続を維持することができる程度の吸着力である。図３は、本実施形態における所定の吸着力を説明するための図である。図３において、第１磁石２１ａと第２磁石２２ａとの吸着面に垂直な方向が垂直方向として、該吸着面と平行な方向が平行方向として定義される。この場合、所定の吸着力は、例えば、垂直方向の耐荷重が６ｋｇ〜１８ｋｇで、平行方向の耐荷重が１ｋｇ〜３ｋｇである。そして、ケーブル側接続端子２０において、このように基端部２１とコネクタ部２２とが接続されることによって、電子製品（スマートフォン）の充電中にケーブル側接続端子２０が脱落せずに電気接続を円滑に行うことができる。
【００２２】
以上に述べた充電ケーブル１００によれば、電子製品に対するコネクタの装着や取り外しの際に接続部分が損傷してしまう事態を抑制するとともに、充電中にコネクタが脱落せずに電気接続を円滑に行うことができる。
【００２３】
なお、図１では、充電ケーブル１００において、同軸ケーブル１０の一方の端部にケーブル側接続端子２０が設けられ、同軸ケーブル１０の他方の端部にＵＳＢコネクタ４０が設けられる例について説明したが、本願開示の充電ケーブル１００では、同軸ケーブル１０の両方の端部にケーブル側接続端子２０が設けられてもよい。
【００２４】
また、本実施形態では、上述した充電ケーブル１００が、基端部２１におけるコネクタ部２２との接続部を被覆可能なカバー部３０であって、該接続部を被覆した状態において第１磁石２１ａの磁気を遮断することができる磁気遮断シート３１を有するカバー部３０を、更に備えてもよい。
【００２５】
図４は、カバー部３０を用いた第１磁石２１ａの磁気の遮断を説明するための図である。本願開示の充電ケーブル１００では、上述したように、基端部２１とコネクタ部２２とが、第１磁石２１ａおよび第２磁石２２ａの吸着力によって、電子製品の充電中に振動や接触によりコネクタが脱落せずに電気接続を維持することができる程度に固定される。そして、ユーザは、コネクタ部２２を電子製品（スマートフォン）の製品側接続端子に接続したままで、該コネクタ部２２と基端部２１とを脱着することで、電子製品と充電ケーブルとを繋いだり取り外したりすることができる。ここで、充電ケーブルが電子製品から取り外されているときには、ケーブル側接続端子２０の基端部２１は、他の部品に固定されていない自由端となる。そうすると、基端部２１が有する第１磁石２１ａが他の電子製品や磁気カードに接触することで、これらに不具合を生じさせてしまう虞がある。例えば、充電すべき電子製品であるスマートフォンが手帳型のケースに収納され、該手帳型のケースのポケットに磁気カードが収納されることがある。この場合、充電ケーブル１００の基端部２１が有する第１磁石２１ａが、非充電時に上記の手帳型のケースに収納された磁気カードに接触し易くなり、仮にこれらが接触すると該磁気カードに不具合が生じる虞がある。
【００２６】
そこで、図４に示す充電ケーブル１００は、カバー部３０によって基端部２１におけるコネクタ部２２との接続部を被覆可能に構成される。ここで、図４に示すように、カバー部３０は椀状のキャップであって、その底面の内側に磁気遮断シート３１が設けられる。また、カバー部３０の底面の外側には、ケーブル３２が接続され、該ケーブル３２が同軸ケーブル１０に固定されることで、同軸ケーブル１０とカバー部３０とが一体化される。なお、ケーブル３２における同軸ケーブル１０との固定部３３は、例えば、上下２部品に分割可能に構成されることで、カバー部３０が同軸ケーブル１０から取り外し可能になるように構成されてもよい。
【００２７】
図４（ｂ）は、カバー部３０によって第１磁石２１ａが被覆された状態を示す図である。上述したように、カバー部３０の底面の内側に磁気遮断シート３１が設けられるため、該磁気遮断シート３１によって第１磁石２１ａが被覆されることになる。ここで、磁気遮断シート３１には周知の構成を用いることができ、例えば、鉄系の材料が薄いシート状に形成されたものを用いることができる。
【００２８】
そして、充電ケーブル１００が電子製品から取り外されているときには、図４（ｂ）に示すように、カバー部３０によって第１磁石２１ａを被覆することで、仮に基端部２１が他の電子製品や磁気カードに接触したとしても、これらに不具合を生じさせてしまう事態が抑制される。
【００２９】
以上に述べた充電ケーブル１００によれば、電子製品に対するコネクタの装着や取り外しの際に接続部分が損傷してしまう事態を抑制するとともに、充電中にコネクタが脱落せずに電気接続を円滑に行うことができ、更に、充電ケーブル１００が電子製品から取り外されているときに、他の電子製品等に不具合を生じさせてしまう事態が抑制される。
【００３０】
＜その他の変形例＞
上記の実施形態はあくまでも一例であって、本開示はその要旨を逸脱しない範囲内で適宜変更して実施しうる。例えば、本開示の充電ケーブル１００では、基端部２１に、該基端部２１の外面から発光するＬＥＤライト５０が設けられてもよい。図５は、基端部２１の外面に設けられるＬＥＤライト５０を例示する図である。図５に示すように基端部２１にＬＥＤライト５０が設けられることによって、例えば、充電ケーブル１００が暗い室内で使用されている場合であっても、充電ケーブルと電子製品との接続部分（基端部２１）を簡単に見つけることができる。そうすると、暗い室内であっても、充電ケーブルと電子製品との接続部分を損傷させることなく、電子製品に対するコネクタの装着や取り外しを簡単に行うことができる。
【００３１】
また、上記の実施形態では、同軸ケーブル１０と同心状に基端部２１が設けられ、該基端部２１の端面にコネクタ部２２との接続部分が形成される例について説明したが、本開示の充電ケーブル１００では、同軸ケーブル１０と同心状に設けられた基端部２１の側面にコネクタ部２２との接続部分が形成されてもよい。図６は、本開示の充電ケーブルの概略構成を示す第２の図である。図６に示す充電ケーブル１００によっても、電子製品に対するコネクタの装着や取り外しの際に接続部分が損傷してしまう事態を抑制するとともに、充電中にコネクタが脱落せずに電気接続を円滑に行うことができる。
【符号の説明】
【００３２】
１０・・・・同軸ケーブル
２０・・・・ケーブル側接続端子
２１・・・・基端部
２１ａ・・・第１磁石
２２・・・・コネクタ部
２２ａ・・・第２磁石
３０・・・・カバー部
５０・・・・ＬＥＤライト
１００・・・充電ケーブル
【図１】
0003230057.tif 000003
【図２】
0003230057.tif 000004
【図３】
0003230057.tif 000005
【図４】
0003230057.tif 000006
【図５】
0003230057.tif 000007
【図６】
0003230057.tif 000008